(57)【要約】【課題】従来の卒塔婆や「キリコ」に代え、戒名、経文、梵字等を表した卒塔婆を縮小とたもの、もしくはそれに代わる木札や、盆の墓参りに名号又は題目、墓参者の名前等を表した「キリコ」に代わる札等、供養用の札を墓のそばに立て掛けて並べるための供養用札立てとする。【解決手段】墓のそばに設置され、複数枚の供養用の札８を立て掛ける札立てであって、台１に支柱２を立設する。支柱２に略Ｕ形の枠体７を着脱可能に取り付ける。枠体７の両側の側壁６間に渡設した前後一対の横桟９間に、供養用の札８を挿し込み立て掛ける。支柱２の上部に灯明箱２３を設ける。【選択図】図３
2004065837.tif 000002
【特許請求の範囲】
【請求項１】
墓のそばに設置され、供養用の札を立て掛け並べておく札立てであって、この札立ては台に支柱が立設され、この支柱に上部から供養用の札が挿し込まれ、挿し込まれた札を前面から確認可能な札挿し体が設けられていることを特徴とする供養用札立て。
【請求項２】
支柱の上部に開閉可能な扉を有し、内部にローソク立てを有する灯明箱が設けられていることを特徴とする請求項１記載の供養用札立て。
【請求項３】
支柱は台に着脱可能に設けられていることを特徴とする請求項１又は２記載の供養用札立て。
【請求項４】
札挿し体は支柱に着脱可能に設けられていることを特徴とする請求項１、２又は３記載の供養用札立て。
【請求項５】
札挿し体は底部及び底部の両側の側壁を有する略Ｕ字形の枠体と、この枠体の側壁間に前後に間隔をおいて設けられた一対の横桟又は一対の柵から構成され、前記枠体の底部に札の下部を支承する溝が左右方向に向け設けられていることを特徴とする請求項１、２、３又は４記載の供養用札立て。
【請求項６】
札挿し体は上面が開口した箱体で、少なくとも前面が透明板で形成され、底部に水抜き孔が設けられていることを特徴とする請求項１、２、３又は４記載の供養用札立て。
【請求項７】
供養用の札は戒名、経文、梵字等が表された木製の札であることを特徴とする請求項１、２、３、４、５又は６記載の供養用札立て。
【請求項８】
供養用の札は名号又は題目、墓参者の名前等が表された木製又は厚紙製札であることを特徴とする請求項１、２、３、４、５又は６記載の供養用札立て。
【発明の詳細な説明】
【０００１】
【発明の属する技術分野】
本発明は、墓のそばに設置し、戒名、経文、梵字等を表した供養用の札や、墓参りで名号又は題目、墓参者の名前等を表した供養用の札を並べるための供養用札立てに関するものである。
【０００２】
【従来の技術】
従来、供養のため墓の後ろに戒名、経文、梵字等を記した細長い板体の卒塔婆が立てられている。
これは、広いスペースを要する塔婆立てを利用して土中に差し込むだけで、墓よりも高く、不安定で傾き易く、数枚立つと乱雑でかつ限られた墓地のスペースでは枚数に限度がある。
又、木製の板体であるため腐食が激しく、寺側ではその処分に苦慮しているのである。
【０００３】
又、お盆の墓参りに、石川県加賀地方では供物と共に墓前の両側に支柱を立設し、両側の支柱間に吊り下げ用横棒を渡設し、この吊り下げ用横棒に「キリコ」と称するヘギ板の屋根をつけた四角形の灯篭を吊り下げている。
この「キリコ」は内部にローソクが立つように構成され、空洞の四角形の枠体の四側面に障子紙を張設して、正面に名号等が印刷され、他の側面に墓参人の名前を表示するようになっている。そして、この「キリコ」を墓の所有者が確認することにより、墓参人を知ることができるのである。
【０００４】
しかし、この「キリコ」は墓所まで持って行くのに嵩張り、数箇所墓参りをする時は、その数だけ持たなければならないので非常に不便であると共に、「キリコ」は盆が過ぎると寺側や墓所の管理者側が焼却処分している。
又、「キリコ」のローソクに火を灯したまま消さずに帰る墓参人もいて、寺では火災の危険性もあり、「キリコ」を供えるのを禁止する傾向にある。
【０００５】
そこで、「キリコ」に変わり、上部に飾り屋根を設けた木製の札の表面に名号、題目等を表し、裏面に墓参人の名前を表すようにした墓参用の札が提案され、この札を墓前に吊り下げ使用される傾向にある。
【０００６】
【発明が解決しようとする課題】
上記点より本発明は、従来の卒塔婆や「キリコ」に代え、戒名、経文、梵字等を表した卒塔婆を縮小したもの、もしくはそれに代わる木札や、盆の墓参りに名号又は題目、墓参者の名前等を表した「キリコ」に代わる札等、供養用の札を墓のそばに立て掛けて並べるための供養用札立てに関するものである。
【０００７】
【課題を解決するための手段】
上記課題を解決するため請求項１の本発明供養用立て札は、墓のそばに設置され、供養用の札を立て掛け並べておく札立てであって、この札立ては台に支柱が立設され、この支柱に上部から供養用の札が挿し込まれ、挿し込まれた札を前面から確認可能な札挿し体が設けられていることを特徴とするものである。
【０００８】
このような構成とすることにより、札挿し体に供養用の札を挿入し、数枚まとめて立て掛けて並べておくことが可能であると共に、挿入された札が札挿し体の前面から確認可能であるため、外側から札の内容を知ることができる。
又、札挿し体は墓のそばに設置した支柱に設けられているため、墓前に札を並べることがなく、墓前が乱雑にならない。
【０００９】
次に、請求項２の本発明は請求項１の供養用札立てにおいて、支柱の上部に開閉可能な扉を有し、内部にローソク立てを有する灯明箱が設けられていることを特徴とするものである。
【００１０】
このような構成とすることにより、盆の墓参り等にローソク立てにローソクの火を灯すことができる。
【００１１】
次に、請求項３の本発明は請求項１又は２の供養用札立てにおいて、支柱は台に着脱可能に設けられていることを特徴とするものである。
【００１２】
このような構成とすることにより、盆の供養用の札立てとした場合は、盆が過ぎると台を残して、灯明箱と支柱を墓の所有者は持ち帰り保管できる。
【００１３】
次に、請求項４の本発明は請求項１、２又は３の供養用札立てにおいて、札挿し体は支柱に着脱可能に設けられていることを特徴とするものである。
【００１４】
このような構成とすることにより、盆の供養用の札立てとした場合は、盆が過ぎると札挿し体のみ取り外して灯明箱を残すことができ、盆以外の墓参り時にローソクの火を灯すことができる。
【００１５】
次に、請求項５の本発明は請求項１、２、３又は４の供養用札立てにおいて、札挿し体は底部及び底部の両側の側壁を有する略Ｕ字形の枠体と、この枠体の側壁間に前後に間隔をおいて設けられた一対の横桟又は一対の柵から構成され、前記枠体の底部に札の下部を支承する溝が左右方向に向け設けられていることを特徴とするものである。
【００１６】
このような構成とすることにより、側壁間に設けた前後一対の横桟間、又は前後一対の柵間に上方より供養用の札を挿し込み、この札の下部を底部の溝に入れることにより、札は立った状態で支承される。
そして、挿し込まれた札は札挿し体の前面から横桟又は柵の間から確認が可能である。又横桟又は柵により札は札挿し体からの落下が防止される。
【００１７】
次に、請求項６の本発明は請求項１、２、３又は４の供養用札立てにおいて、札挿し体は上面が開口した箱体で、少なくとも前面が透明板で形成され、底部に水抜き孔が設けられていることを特徴とするものである。
【００１８】
このような構成とすることにより、箱の上方から供養用の札を挿し込めば、札は立った状態で支承される。
そして、挿し込まれた札は札挿し体の前面の透明板を透かして確認が可能である。又底部に水抜き孔を有するため、雨水が溜まるのを防止できる。
【００１９】
次に、請求項７の本発明は請求項１、２、３、４、５又は６の供養用札立てにおいて、供養用の札は戒名、経文、梵字等が表された木製の札であることを特徴とするものである。
【００２０】
このような構成とすることにより、木製の札に卒塔婆に記される表示をすれば、卒塔婆を立てる必要がなくなり、墓所が整然とすると共に、腐食しても卒塔婆に比べて小さな木製の札であるから、焼却等の処分が容易で環境に優しいものとなる。
【００２１】
次に、請求項８の本発明は請求項１、２、３、４、５又は６の供養用札立てにおいて、供養用の札は名号又は題目、墓参者の名前等が表された木製又は厚紙製札であることを特徴とするものである。
【００２２】
このような構成とすることにより、供養用の札に盆の墓参用の「キリコ」に記される表示をすれば、「キリコ」を墓前に吊り下げる必要がなくなり、「キリコ」の吊り下げの準備が不要となると共に、盆が過ぎての寺側や墓所の管理者側の札の焼却処分も、「キリコ」に比べて小さな木製又は厚紙製の札であるから容易で環境に優しいものとなる。
【００２３】
【発明の実施の形態】
以下、本発明の一実施の形態を図面に基づき説明する。
図１は請求項１の本発明供養用札立ての一実施の形態を示す正面図、図２は請求項２の本発明供養用札立ての一実施の形態を示す正面図、図３は同上の縦断側面図、図４及び図５は札挿し体の斜視図である。
【００２４】
本発明供養用札立ては、墓の斜め前方や墓の横等、墓のそばに設置されるものである。
而して、図中１は石、コンクリート等で四角錐台に形成された土台であり、この土台１に支柱２が立設されている。
支柱２は木、金属等材質は問わない。又形状も四角柱、円柱等何れでもよく、パイプ形状でもよい。
そして、支柱２は土台１の上面に設けた孔３に挿脱可能に嵌入されている。支柱２の高さは何等限定されるものではないが、土台１に取り付けられた状態で墓よりも少し高い程度である。
【００２５】
４は支柱２の途中に取り付けられた札挿し体であり、この札挿し体４は左右方向に長い底部５、及び底部５の両側に起立した側壁６を有する断面が略Ｕ形の枠体７と、この枠体７の側壁６間に、後に説明する供養用の札８が余裕をもって挿し込まれる間隔をおいて設けられた前後一対の横桟９から構成されている。
横桟９に変え、前後一対の柵（図示せず）としてもよい。この札挿し体４はプラスチック、金属、木等材質は問わない。
【００２６】
横桟９は側壁６間の上部と下部に夫々渡設されている。そして、枠体７の底部５の上面に供養用の札８の下部を支承する溝１０が底部の左右方向に向け設けられている。
溝１０の巾は札８が数枚重なっても挿入できる余裕を有する巾に形成されている。
又、側壁６間の上部で支柱２への取り付け側に取り付け板１１が渡設されている。
【００２７】
１２は支柱２側に取り付けた先端が上向きに屈曲した上下一対の略Ｌ字形のフック又はビス等の引掛け部材であり、この引掛け部材１２に対応して、札挿し体４の中央部に引掛け部材１２の先端が嵌入する上下一対の溝孔１３が設けられた縦長の板状の取り付け金具１４が、上部を札挿し体４の取り付け板１１に、下部を札挿し体４の枠体７の下部にビス等の止着部材１５で固定されている。
そして、札挿し体４の取り付け金具１４の溝孔１３を支柱２の引掛け部材１２に引っ掛けることにより、札挿し体４を支柱２に着脱可能に取り付ける。
尚、札挿し体４の支柱２への取り付けはかかる構成に限定されるものではない。こうような構成を有する台１、支柱２、札挿し体４で供養用札立てが構成されている。
【００２８】
図５は札挿し体４の他の実施の形態を示すもので、この札挿し体４は底板１６、両側の側板１７、後板１８及び側板１７の前部側に側板１７の上下方向に渉って設けた溝１９に嵌着した透明な前板２０から成る上面が開口２１した方形の箱形に形成されている。そして、底板１７に水抜き孔２２が穿設されている。
材質は、前板２０は透明なプラスチック又はガラスで、それ以外の部分は材質はプラスチック、金属、木等材質は問わない。
又、全体を透明なプラスチック板で箱形に形成してもよく、この場合、側板１７の溝１９は不要となる。
【００２９】
図２及び図３は、支柱２の上部に灯明箱２３を固定した供養用札立てであり、この灯明箱２３は上方が広がった略四角形の箱形で、上部に切り妻風の屋根２４が設けられると共に、正面に開閉可能な扉２５が設けられ、側面に窓２６が形成されている。そして、灯明箱２３の内部にローソク立て２７が設けられている。この灯明箱２３は、盆の墓参り等にローソク２８の火を灯すことができ便利である。
【００３０】
次に、札挿し体４に上部から挿し込まれる供養用の札８は、上部が山形に形成された縦長の札であり、この札８は卒塔婆の代わりとして使用する時は、従来の卒塔婆に記される戒名、経文、梵字等が表される。
この卒塔婆としての使用は、継続して立て掛けるので札８の材質は木製が好ましい。
又、供養用の札８を盆の「キリコ」の代わりの札として使用する時は、従来の「キリコ」に記される表側「南無阿弥陀仏」の名号又は題目を表し、表側左隅か裏側に墓参者の名前等を表す。
この盆の供養用の札として使用は、盆の期間のみの立て掛けとなり、盆が過ぎると廃棄処分されるため、札８の材質は木製でも良いが、厚紙製でも十分に代用可能である。
【００３１】
【発明の効果】
本発明によれば、供養用の札を供養用札立ての札挿し体に立て掛け並べておくだけでよいため、札に卒塔婆に記される表示をすれば、従来のような大きな卒塔婆を立てる必要がなくなり、墓所が整然とすると共に、限られた墓所のスペースを有効に使用でき、又供養用の札に盆の墓参りに「キリコ」に記される表示をすれば、盆毎に「キリコ」を吊り下げるための支柱や、吊り下げ用横棒の準備が不要となり、寺側や墓所の管理者側の手数が省かれる。
又、このような供養用の札は、木製、厚紙製で小さいため、焼却処分が容易に可能で環境に優しく、従来の卒塔婆や「キリコ」に比べ管理も容易となる。
【図面の簡単な説明】
【図１】請求項１の本発明供養用札立ての一実施の形態を示す正面図である。
【図２】請求項２の本発明供養用札立ての一実施の形態を示す正面図である。
【図３】請求項２の本発明供養用札立ての一実施の形態を示す断面図である。
【図４】本発明供養用札立ての札挿し体の一実施の形態を示す斜視図である。
【図５】本発明供養用札立ての札挿し体の他の実施の形態を示す斜視図である。
【符号の説明】
１　土台
２　支柱
４　札挿し体
７　枠体
８　供養用の札
９　横桟
１１　取り付け板
１２　フックやビス等の引掛け部材
１４　取り付け金具
２３　灯明箱
【図１】
2004065837.tif 000003
【図２】
2004065837.tif 000004
【図３】
2004065837.tif 000005
【図４】
2004065837.tif 000006
【図５】
2004065837.tif 000007